【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
患者に加湿ガスを供給するためのチューブと一緒に用いるのに適した導管であって、
チューブに接続するように構成されたコネクタであって、前記コネクタは、長手方向軸に沿って延びる内腔と、内腔を取り囲む壁とを有し、前記内腔が、使用時に加湿されたガスのためのガス流路を画定する、前記コネクタと、
プリント回路基板（ＰＣＢ）アセンブリと、
を備え、
前記ＰＣＢアセンブリは、
壁に埋め込まれ、直径またはコード線に沿ってルーメンを横切って延びる分割部分であって、前記分割部分が全体的にガス流路の少なくとも一部を２等分し、分割部分の少なくとも一部がオーバーモールド組成物によってオーバーモールドされている、前記分割部分と、
前記分割部分に隣接して前記壁から外向きに突出する配線部分と、
前記コネクタの内腔内に配置されるとともに少なくとも１つのセンサを含むセンサ部分であって、前記オーバーモールド組成物によってオーバーモールドされている、前記センサ部分と、
を含む、導管。
【請求項２】
前記ＰＣＢアセンブリが位置決め部分をさらに含み、前記位置決め部分は、前記分割部分に隣接するとともに前記ルーメンから離れる方向および前記配線部分と反対の方向に外向きに突出している、請求項１に記載の導管。
【請求項３】
前記配線部分が、前記センサ部分に電気的に接続されるように構成されている、請求項１または２に記載の導管。
【請求項４】
前記センサ部分と前記配線部分とがプリント回路により電気的に接続されている、請求項３に記載の導管。
【請求項５】
前記少なくとも１つのセンサが前記配線部分に電気的に接続されている、請求項３または４に記載の導管。
【請求項６】
前記分割部分、前記配線部分、前記センサ部分および前記位置決め部分が、互いに取り付けられているか、または適当な材料から一体的に形成されている、請求項２、または請求項３が請求項２に従属する場合における請求項３から５のうちのいずれか一項に記載の導管。
【請求項７】
前記適当な材料が回路基板である、請求項６に記載の導管。
【請求項８】
前記センサ部分が、前記ガス流路内に配置され、前記長手方向軸に沿って前記分割部分から突出している、請求項１から７のうちのいずれか一項に記載の導管。
【請求項９】
前記少なくとも１つのセンサが、前記センサ部分の前縁に隣接して配置されている、請求項８に記載の導管。
【請求項１０】
前記少なくとも１つのセンサがサーミスタである、請求項１から９のうちのいずれか一項に記載の導管。
【請求項１１】
前記センサ部分の近位の前記オーバーモールド組成物が、長手方向軸に沿って延びるテーパ状の形状を有する、請求項１から１０のうちのいずれか一項に記載の導管。
【請求項１２】
前記センサ部分の近位の前記オーバーモールド組成物が、翼型の形状、翼の形状、魚雷の形状または弾丸の形状を有する、請求項１１に記載の導管。
【請求項１３】
前記オーバーモールド組成物の最も薄い部分が、前記センサ部分の前縁の近位にある、請求項１１または１２に記載の導管。
【請求項１４】
前記センサ部分と前記壁との間の垂直方向の距離が、前記内腔の直径の少なくとも３０％である、請求項１から１３のうちのいずれか一項に記載の導管。
【請求項１５】
前記コネクタは、前記チューブを患者インターフェースに接続するように構成された患者側コネクタであり、前記患者側コネクタが前記ＰＣＢアセンブリを含む、請求項１から１４のうちのいずれか一項に記載の導管。
【請求項１６】
前記患者側コネクタがインサートを含み、前記インサートはその一端において前記チューブに接続され、その他端において前記患者インターフェースに接続されるように構成され、前記インサートが、前記ガス流路を画定する前記内腔の少なくとも一部を形成し、前記配線部分および前記ＰＣＢアセンブリの少なくとも１つのセンサのためのハウジングを提供するように構成されている、請求項１５に記載の導管。
【請求項１７】
前記チューブが前記インサートに前記一端で接続されているときに、前記一端の近位の前記チューブの一部が前記インサートの外面の周囲に位置する、請求項１６に記載の導管。
【請求項１８】
前記患者側コネクタがカバーを含み、前記カバーが、前記配線部分と、前記チューブへの前記インサートの接続部とを保護して覆うように構成されている、請求項１６または１７に記載の導管。
【請求項１９】
前記チューブが、第１細長部材および第２細長部材を含み、
前記第１細長部材は、少なくともその一部分が、螺旋状に巻かれて前記内腔を取り囲む中空壁を有する細長いチューブを少なくとも部分的に形成し、前記第２細長部材は、前記第１細長部材の隣接する巻きの間に螺旋状に巻かれて前記第１細長部材に接合され、前記細長いチューブの少なくとも一部を形成する、請求項１から１８のうちのいずれか一項に記載の導管。
【請求項２０】
１つ以上の導電性フィラメントが、前記第２細長部材内に埋め込まれているか、または封入されている、請求項１９に記載の導管。
【請求項２１】
前記１つ以上の導電性フィラメントのうちの少なくとも１つが加熱フィラメントおよび／または検知フィラメントである、請求項２０に記載の導管。
【請求項２２】
前記配線部分が、前記１つ以上の導電性フィラメントと電気的に接続するように構成されている、請求項２０または２１に記載の導管。
【手続補正２】
【補正対象書類名】図面
【補正対象項目名】全図
【補正方法】変更
【補正の内容】
【図１】
2021045570.tif 000001
【図２Ａ】
2021045570.tif 000002
【図２Ｂ−Ｃ】
2021045570.tif 000003
【図２Ｄ】
2021045570.tif 000004
【図２Ｅ】
2021045570.tif 000005
【図２Ｆ】
2021045570.tif 000006
【図２Ｇ】
2021045570.tif 000007
【図２Ｈ】
2021045570.tif 000008
【図３】
2021045570.tif 000009
【図４】
2021045570.tif 000010
【図５Ａ】
2021045570.tif 000011
【図５Ｂ−Ｃ】
2021045570.tif 000012
【図５Ｄ−Ｅ】
2021045570.tif 000013
【図５Ｆ】
2021045570.tif 000014
【図６Ａ−Ｂ】
2021045570.tif 000015
【図６Ｃ−Ｄ】
2021045570.tif 000016
【図７Ａ−Ｂ】
2021045570.tif 000017
【図７Ｃ】
2021045570.tif 000018
【図７Ｄ】
2021045570.tif 000019
【図７Ｅ】
2021045570.tif 000020
【図７Ｆ】
2021045570.tif 000021
【図７Ｇ】
2021045570.tif 000022
【図８Ａ】
2021045570.tif 000023
【図８Ｂ】
2021045570.tif 000024
【図９Ａ】
2021045570.tif 000025
【図９Ｂ】
2021045570.tif 000026
【図９Ｃ−Ｆ】
2021045570.tif 000027
【図１０Ａ】
2021045570.tif 000028
【図１０Ｂ】
2021045570.tif 000029
【図１１Ａ】
2021045570.tif 000030
【図１１Ｂ】
2021045570.tif 000031
【図１１Ｃ】
2021045570.tif 000032
【図１１Ｄ】
2021045570.tif 000033
【図１２Ａ】
2021045570.tif 000034
【図１２Ｂ】
2021045570.tif 000035
【図１２Ｃ】
2021045570.tif 000036
【図１３】
2021045570.tif 000037
【図１４】
2021045570.tif 000038
【図１５】
2021045570.tif 000039
【図１６】
2021045570.tif 000040
【図１７】
2021045570.tif 000041
【図１８】
2021045570.tif 000042
【図１９Ａ】
2021045570.tif 000043
【図１９Ｂ】
2021045570.tif 000044
【図２０】
2021045570.tif 000045
【図２１Ａ−Ｃ】
2021045570.tif 000046
【図２１Ｄ】
2021045570.tif 000047
【図２１Ｅ】
2021045570.tif 000048
【図２１Ｆ】
2021045570.tif 000049
【図２２Ａ−Ｂ】
2021045570.tif 000050
【図２２Ｃ】
2021045570.tif 000051
【図２３Ａ】
2021045570.tif 000052
【図２３Ｂ】
2021045570.tif 000053
【図２３Ｃ】
2021045570.tif 000054
【図２３Ｄ】
2021045570.tif 000055
【図２３Ｅ】
2021045570.tif 000056
【図２３Ｆ】
2021045570.tif 000057
【図２３Ｇ−Ｈ】
2021045570.tif 000058
【図２４】
2021045570.tif 000059
【図２５Ａ】
2021045570.tif 000060
【図２５Ｂ】
2021045570.tif 000061
【図２５Ｃ】
2021045570.tif 000062
【図２５Ｄ】
2021045570.tif 000063
【図２５Ｅ−Ｇ】
2021045570.tif 000064
【図２５Ｈ−Ｉ】
2021045570.tif 000065
【図２５Ｊ】
2021045570.tif 000066
【図２５Ｋ−Ｌ】
2021045570.tif 000067
【図２６Ａ−Ｄ】
2021045570.tif 000068
【図２６Ｅ】
2021045570.tif 000069
【図２７Ａ−Ｄ】
2021045570.tif 000070
【図２７Ｅ】
2021045570.tif 000071
【図２８Ａ−Ｃ】
2021045570.tif 000072
【図２８Ｄ−Ｆ】
2021045570.tif 000073
【図２９Ａ−Ｄ】
2021045570.tif 000074
【図２９Ｅ−Ｈ】
2021045570.tif 000075
【図２９Ｉ−Ｌ】
2021045570.tif 000076
【図３０Ａ−Ｅ】
2021045570.tif 000077
【図３０Ｆ−Ｈ】
2021045570.tif 000078
【図３０Ｉ−Ｋ】
2021045570.tif 000079
【図３０Ｌ】
2021045570.tif 000080
【図３０Ｍ−Ｎ】
2021045570.tif 000081
【図３０Ｏ】
2021045570.tif 000082
【図３１】
2021045570.tif 000083
【図３２Ａ−Ｂ】
2021045570.tif 000084
【図３２Ｃ−Ｄ】
2021045570.tif 000085
【図３３Ａ−Ｂ】
2021045570.tif 000086
【図３３Ｃ−Ｄ】
2021045570.tif 000087
【図３４】
2021045570.tif 000088
【図３５Ａ−Ｄ】
2021045570.tif 000089
【図３５Ｅ】
2021045570.tif 000090
【図３６Ａ−Ｆ】
2021045570.tif 000091
【図３６Ｇ−Ｊ】
2021045570.tif 000092
【図３６Ｋ】
2021045570.tif 000093
【図３７】
2021045570.tif 000094